(57)【特許請求の範囲】
【請求項１】
他の装置と通信可能な電子機器であって、
第１撮像部と、
第２撮像部と、
第１表示部と、
制御部と
を備え、
前記他の装置は、第３撮像部、第４撮像部及び第２表示部を備え、
前記電子機器と前記他の装置とは、互いに画像のやり取りを行う動作モードを有し、
前記電子機器と前記他の装置が前記動作モードで動作する場合には、
前記電子機器は、前記第１撮像部が撮像している一連の画像である第１画像を、前記他の装置に送信し、前記他の装置は、前記第３撮像部が撮像している一連の画像である第２画像を、前記電子機器に送信し、
前記電子機器の前記第１表示部は、前記他の装置からの前記第２画像を表示し、前記他の装置の前記第２表示部は、前記電子機器からの前記第１画像を表示し、
前記制御部は、前記動作モードにおいて、
前記電子機器の前記第２撮像部または前記他の装置の前記第４撮像部が撮像している一連の画像であって前記第２表示部と前記第１表示部との間で共通の第３画像を、前記第２画像とともに前記第１表示部が表示する第１表示モードと、前記第３画像におけるある時点での画像であって前記第２表示部と前記第１表示部との間で共通の第４画像を、前記第２画像とともに前記第１表示部が表示する第２表示モードとを切り替え、
前記第２表示モードの前記第１表示部に、前記電子機器あるいは前記他の装置に入力される第１入力情報を、前記第４画像に重ねて表示させ、前記第１表示部の表示モードが前記第２表示モードから前記第１表示モードに切り替わった場合、前記第１表示部に、前記第２表示モードで前記第４画像に重ねて表示された前記第１入力情報を、前記第３画像での前記第４画像に対応する画像に重ねて表示させる、電子機器。
【請求項２】
請求項１に記載の電子機器であって、
前記制御部は、
前記第１表示モードの前記第１表示部に、前記電子機器あるいは前記装置に入力される第２入力情報を、前記第３画像に重ねて表示させる、電子機器。
【請求項３】
請求項１及び請求項２のいずれか一つに記載の電子機器であって、
記憶部をさらに備え、
前記制御部は、
前記第３画像の一部を静止画像として前記記憶部に保存する、電子機器。
【請求項４】
請求項１及び請求項２のいずれか一つに記載の電子機器であって、
記憶部をさらに備え、
前記制御部は、
前記第４画像を静止画像として前記記憶部に保存する、電子機器。
【請求項５】
請求項４に記載の電子機器であって、
前記制御部は、
前記第１入力情報の情報量を検出し、前記情報量が所定量以上になったとき、前記第１入力情報が重ねられた前記第４画像を前記静止画像として前記記憶部に保存する、電子機器。
【請求項６】
請求項２に記載の電子機器であって、
記憶部をさらに備え、
前記制御部は、
前記第２入力情報の情報量を検出し、前記情報量が所定量以上になったとき、前記第２入力情報が重ねられた前記第３画像の一部を静止画像として前記記憶部に保存する、電子機器。
【請求項７】
請求項３乃至請求項６のいずれか一つに記載の電子機器であって、
前記電子機器への操作を検出する操作検出部をさらに備え、
前記制御部は、
前記操作検出部が前記電子機器への所定の操作を検出したとき、前記静止画像を前記記憶部に保存する、電子機器。
【請求項８】
請求項３乃至請求項７のいずれか一つに記載の電子機器であって、
前記制御部は、
前記第１及び第２表示モードの両方において通話モードを設定可能であって、
前記通話モードにおける通話量を検出し、所定時間あたりの前記通話量が所定量以上になったとき、前記静止画像を前記記憶部に保存する、電子機器。
【請求項９】
請求項３乃至請求項７のいずれか一つに記載の電子機器であって、
前記制御部は、
前記第１及び第２表示モードの両方において通話モードを設定可能であって、
前記通話モードにおける前記電子機器の出力音量あるいは入力音量を検出し、前記出力音量あるいは前記入力音量が所定値以上になったとき、前記静止画像を前記記憶部に保存する、電子機器。
【請求項１０】
請求項１及び請求項２のいずれか一つに記載の電子機器であって、
記憶部をさらに備え、
前記制御部は、
前記第１及び第２表示モードの両方において通話モードを設定可能であって、
前記通話モードにおいて前記第１表示部が表示する一連の画像を動画像として前記記憶部に保存する、電子機器。
【請求項１１】
請求項３乃至請求項７のいずれか一つに記載の電子機器であって、
前記制御部は、
前記第１及び第２表示モードの両方において通話モードを設定可能であって、
前記通話モードにおいて前記第１表示部が表示する一連の画像を動画像として前記記憶部に保存する、電子機器。
【請求項１２】
請求項１１に記載の電子機器であって、
前記制御部は、
前記動画像を構成する前記一連の画像についての前記通話モードでの表示期間において、前記制御部が前記静止画像を前記記憶部に保存するタイミングを前記記憶部に保存する、電子機器。
【請求項１３】
第１撮像部と、第２撮像部と、第１表示部とを備える第１電子機器と、
第３撮像部と、第４撮像部と、第２表示部とを備える第２電子機器と
を備え、
前記第１及び第２電子機器は、互いに画像のやり取りを行う動作モードを有し、
前記第１及第２電子機器が前記動作モードで動作する場合には、
前記第１電子機器は、前記第１撮像部が撮像している一連の画像である第１画像を、前記第２電子機器に送信し、前記第２電子機器は、前記第３撮像部が撮像している一連の画像である第２画像を、前記第１電子機器に送信し、
前記第１電子機器の前記第１表示部は、前記第２電子機器からの前記第２画像を表示し、前記第２電子機器の前記第２表示部は、前記第１電子機器からの前記第１画像を表示し、
前記動作モードで動作する前記第１電子機器においては、
前記第１表示部は、前記第２撮像部または前記第４撮像部が撮像している一連の画像であって前記第２表示部と前記第１表示部との間で共通の第３画像を、前記第２画像とともに表示する第１表示モードと、前記第３画像におけるある時点での画像であって前記第２表示部と前記第１表示部との間で共通の第４画像を、前記第２画像とともに表示する第２表示モードとを有し、
前記第２表示モードの前記第１表示部は、前記第１電子機器あるいは前記第２電子機器に入力される入力情報を、前記第４画像に重ねて表示し、
前記第１表示部の表示モードが前記第２表示モードから前記第１表示モードに切り替わった場合、前記第１表示部は、前記第２表示モードで前記第４画像に重ねて表示した前記入力情報を、前記第３画像での前記第４画像に対応する画像に重ねて表示し、
前記動作モードで動作する前記第２電子機器においては、
前記第２表示部は、前記第３画像を前記第１画像とともに表示する第３表示モードと、前記第４画像を前記第１画像とともに表示する第４表示モードとを有し、
前記第４表示モードの前記第２表示部は、前記入力情報を前記第４画像に重ねて表示し、
前記第２表示部の表示モードが前記第４表示モードから前記第３表示モードに切り替わった場合、前記第２表示部は、前記第４表示モードで前記第４画像に重ねて表示した前記入力情報を、前記第３画像での前記第４画像に対応する画像に重ねて表示する、画像表示システム。
【請求項１４】
第１及び第２撮像部を有し、第３及び第４撮像部を有する他の装置と通信可能な電子機器を制御するための制御プログラムであって、
前記電子機器と前記他の装置とは、互いに画像のやり取りを行う動作モードを有し、
前記動作モードで動作する前記他の装置は、前記電子機器の前記第１撮像部が撮像している一連の画像である第１画像を表示し、前記第３撮像部が撮像している一連の画像である第２画像を前記電子機器に送信し、
前記電子機器に、
（ａ）前記動作モードで動作する工程を実行させ、
前記工程（ａ）において、
（ｂ）前記第１画像を前記他の装置に送信する工程と、
（ｃ）前記第２撮像部または前記第４撮像部が撮像している一連の画像であって前記電子機器及び前記他の装置の間で共通の第３画像を、前記第２画像とともに表示する工程と、
（ｄ）前記第３画像におけるある時点での画像であって前記電子機器及び前記他の装置の間で共通の第４画像を、前記第２画像とともに表示する工程と
を実行させ、
前記工程（ｄ）において、前記電子機器あるいは前記他の装置に入力される入力情報を前記第４画像に重ねて表示させ、
前記工程（ｃ）において、前記工程（ｄ）で前記第４画像に重ねて表示した前記入力情報を、前記第３画像での前記第４画像に対応する画像に重ねて表示させるための制御プログラム。
【請求項１５】
第１及び第２撮像部を有し、第３及び第４撮像部を有する他の装置と通信可能な電子機器の動作方法であって、
前記電子機器と前記他の装置とは、互いに画像のやり取りを行う動作モードを有し、
前記動作モードで動作する前記他の装置は、前記電子機器の前記第１撮像部が撮像している一連の画像である第１画像を表示し、前記第３撮像部が撮像している一連の画像である第２画像を前記電子機器に送信し、
（ａ）前記動作モードで動作する工程を備え、
前記工程（ａ）は、
（ｂ）前記第１画像を前記他の装置に送信する工程と、
（ｃ）前記第２撮像部または前記第４撮像部が撮像している一連の画像であって前記電子機器及び前記他の装置の間で共通の第３画像を、前記第２画像とともに表示する工程と、
（ｄ）前記第３画像におけるある時点での画像であって前記電子機器及び前記他の装置の間で共通の第４画像を、前記第２画像とともに表示する工程と
を有し、
前記工程（ｄ）において、前記電子機器あるいは前記他の装置に入力される入力情報が前記第４画像に重ねて表示され、
前記工程（ｃ）において、前記工程（ｄ）で前記第４画像に重ねて表示した前記入力情報が、前記第３画像での前記第４画像に対応する画像に重ねて表示される、電子機器の動作方法。
【発明の詳細な説明】
【技術分野】
【０００１】
本開示は、電子機器に関する。
【背景技術】
【０００２】
特許文献１に記載されているように、従来から電子機器に関して様々な技術が開示されている。
【先行技術文献】
【特許文献】
【０００３】
【特許文献１】特開２０１０−１９８１０４号公報
【発明の概要】
【発明が解決しようとする課題】
【０００４】
ユーザにとっては、電子機器に対して情報を入力しやすい方が好ましい。
【０００５】
そこで、本発明は上述の点に鑑みて成されたものであり、電子機器に対して情報を入力しやすくすることが可能な技術を提供することを目的とする。
【課題を解決するための手段】
【０００６】
電子機器、画像表示システム及び制御プログラム並びに電子機器の動作方法が開示される。一の実施の形態では、電子機器は、他の装置と通信可能な電子機器である、電子機器は、第１撮像部と、第２撮像部と、第１表示部と、制御部とを備える。他の装置は、第３撮像部、第４撮像部及び第２表示部を備える。電子機器と他の装置とは、互いに画像のやり取りを行う動作モードを有する。電子機器と他の装置が動作モードで動作する場合には、電子機器は、第１撮像部が撮像している一連の画像である第１画像を、他の装置に送信し、他の装置は、第３撮像部が撮像している一連の画像である第２画像を、電子機器に送信する。電子機器と他の装置が動作モードで動作する場合には、電子機器の第１表示部は、他の装置からの第２画像を表示し、他の装置の第２表示部は、電子機器からの第１画像を表示する。制御部は、動作モードにおいて、電子機器の第２撮像部または他の装置の第４撮像部が撮像している一連の画像であって第２表示部と第１表示部との間で共通の第３画像を、第２画像とともに第１表示部が表示する第１表示モードと、第３画像におけるある時点での画像であって第２表示部と第１表示部との間で共通の第４画像を、第２画像とともに第１表示部が表示する第２表示モードとを切り替える。制御部は、動作モードにおいて、第２表示モードの第１表示部に、電子機器あるいは他の装置に入力される第１入力情報を、第４画像に重ねて表示させ、第１表示部の表示モードが第２表示モードから第１表示モードに切り替わった場合、第１表示部に、第２表示モードで第４画像に重ねて表示された第１入力情報を、第３画像での第４画像に対応する画像に重ねて表示させる。
【０００７】
また、一の実施の形態では、画像表示システムは、第１撮像部と、第２撮像部と、第１表示部とを備える第１電子機器と、第３撮像部と、第４撮像部と、第２表示部とを備える第２電子機器とを備える。第１及び第２電子機器は、互いに画像のやり取りを行う動作モードを有する。第１及第２電子機器が動作モードで動作する場合には、第１電子機器は、第１撮像部が撮像している一連の画像である第１画像を、第２電子機器に送信し、第２電子機器は、第３撮像部が撮像している一連の画像である第２画像を、第１電子機器に送信する。第１及第２電子機器が動作モードで動作する場合には、第１電子機器の第１表示部は、第２電子機器からの第２画像を表示し、第２電子機器の第２表示部は、第１電子機器からの第１画像を表示する。動作モードで動作する第１電子機器においては、第１表示部は、第２撮像部または第４撮像部が撮像している一連の画像であって第２表示部と第１表示部との間で共通の第３画像を、第２画像とともに表示する第１表示モードと、第３画像におけるある時点での画像であって第２表示部と第１表示部との間で共通の第４画像を、第２画像とともに表示する第２表示モードとを有する。動作モードで動作する第１電子機器においては、第２表示モードの第１表示部は、第１電子機器あるいは第２電子機器に入力される入力情報を、第４画像に重ねて表示する。動作モードで動作する第１電子機器においては、第１表示部の表示モードが第２表示モードから第１表示モードに切り替わった場合、第１表示部は、第２表示モードで第４画像に重ねて表示した入力情報を、第３画像での第４画像に対応する画像に重ねて表示する。動作モードで動作する第２電子機器においては、第２表示部は、第３画像を第１画像とともに表示する第３表示モードと、第４画像を第１画像とともに表示する第４表示モードとを有する。動作モードで動作する第２電子機器においては、第４表示モードの第２表示部は、入力情報を第４画像に重ねて表示する。動作モードで動作する第２電子機器においては、第２表示部の表示モードが第４表示モードから第３表示モードに切り替わった場合、第２表示部は、第４表示モードで第４画像に重ねて表示した入力情報を、第３画像での前記第４画像に対応する画像に重ねて表示する。
【０００８】
また、一の実施の形態では、制御プログラムは、第１及び第２撮像部を有し、第３及び第４撮像部を有する他の装置と通信可能な電子機器を制御するための制御プログラムである。電子機器と他の装置とは、互いに画像のやり取りを行う動作モードを有する。動作モードで動作する他の装置は、電子機器の第１撮像部が撮像している一連の画像である第１画像を表示し、第３撮像部が撮像している一連の画像である第２画像を電子機器に送信する。制御プログラムは、電子機器に、（ａ）動作モードで動作する工程を実行させる。制御プログラム、電子機器に、工程（ａ）において、（ｂ）第１画像を他の装置に送信する工程と、（ｃ）第２撮像部または第４撮像部が撮像している一連の画像であって電子機器及び他の装置の間で共通の第３画像を、第２画像とともに表示する工程と、（ｄ）第３画像におけるある時点での画像であって電子機器及び他の装置の間で共通の第４画像を、第２画像とともに表示する工程とを実行させる。制御プログラムは、電子機器に、工程（ｄ）において、電子機器あるいは他の装置に入力される入力情報を第４画像に重ねて表示させ、工程（ｃ）において、工程（ｄ）で第４画像に重ねて表示した入力情報を、第３画像での第４画像に対応する画像に重ねて表示させる。
【０００９】
また、一の実施の形態では、電子機器の動作方法は、第１及び第２撮像部を有し、第３及び第４撮像部を有する他の装置と通信可能な電子機器の動作方法である。電子機器と他の装置とは、互いに画像のやり取りを行う動作モードを有する。動作モードで動作する他の装置は、電子機器の第１撮像部が撮像している一連の画像である第１画像を表示し、第３撮像部が撮像している一連の画像である第２画像を電子機器に送信する。電子機器の動作方法は、（ａ）動作モードで動作する工程を備える。工程（ａ）は、（ｂ）第１画像を他の装置に送信する工程と、（ｃ）第２撮像部または第４撮像部が撮像している一連の画像であって電子機器及び他の装置の間で共通の第３画像を、第２画像とともに表示する工程と、（ｄ）第３画像におけるある時点での画像であって電子機器及び他の装置の間で共通の第４画像を、第２画像とともに表示する工程とを有する。工程（ｄ）において、電子機器あるいは他の装置に入力される入力情報が第４画像に重ねて表示される。工程（ｃ）において、工程（ｄ）で第４画像に重ねて表示した入力情報が、第３画像での第４画像に対応する画像に重ねて表示される。
【発明の効果】
【００１０】
ユーザは電子機器に対して情報を入力しやすくなる。
【図面の簡単な説明】
【００１１】
【図１】画像表示システムの構成の一例を概略的に示す図である。
【図２】電子機器の外観の一例を概略的に示す斜視図である。
【図３】電子機器の外観の一例を概略的に示す裏面図である。
【図４】電子機器の電気的構成の一例を示す図である。
【図５】制御部に形成される機能ブロックの一例を示す図である。
【図６】電子機器の動作の一例を示すフローチャートである。
【図７】ビデオ通話画面の一例を概略的に示す図である。
【図８】制御部に形成される機能ブロックの一例を示す図である。
【図９】制御部に形成される機能ブロックの一例を示す図である。
【図１０】送信端末の動作の一例を示すフローチャートである。
【図１１】共有画面の一例を概略的に示す図である。
【図１２】共有画面の一例を概略的に示す図である。
【図１３】電子機器の動作の一例を示すフローチャートである。
【図１４】入力情報が入力される様子を示す図である。
【図１５】共有画面の一例を概略的に示す図である。
【図１６】入力情報の表示が変化する様子を示す図である。
【図１７】制御部に形成される機能ブロックの一例を示す図である。
【図１８】再生画面の一例を概略的に示す図である。
【図１９】再生画面の一例を概略的に示す図である。
【発明を実施するための形態】
【００１２】
＜画像表示システムの構成＞
図１は、画像表示システム２００の構成の一例を概略的に示す図である。図１に示されるように、画像表示システム２００は、電子機器１ａ〜１ｃを備えている。この画像表示システム２００では、電子機器１ａは、電子機器１ａが撮像するプレビュー画像（スルー画像又はライブビュー画像、あるいは単にプレビューとも呼ばれる）を表示するとともに、当該プレビュー画像を電子機器１ｂ及び１ｃに送信することが可能である。電子機器１ｂ及び１ｃは、電子機器１ａから送信される、電子機器１ａが撮像するプレビュー画像を受信して表示することができる。これにより、電子機器１ａ〜１ｃは、電子機器１ａが撮像するプレビュー画像を共有して表示することが可能である。
【００１３】
電子機器１ａ〜１ｃは、電子機器１ａが有する撮像部が取得した画像をプレビュー画像としてそのまま電子機器１ａ〜１ｃがそれぞれ有する表示部に表示する。このため、電子機器１ａ〜１ｃがそれぞれ有する表示部に表示されるプレビュー画像は、ユーザからの撮影指示等がない限り、電子機器１ａが有する撮像部が取得した画像に基づき常に更新されている。
【００１４】
電子機器１ａ〜１ｃのそれぞれは、例えば、スマートフォン等の携帯電話機である。図１の例示では、電子機器１ａは、撮像するプレビュー画像を電子機器１ｂ及び１ｃに送信する送信端末として機能する。電子機器１ｂ及び１ｃは、電子機器１ａが送信するプレビュー画像を受信して表示する受信端末として機能する。以後、電子機器１ａ〜１ｃを特に区別する必要がないときには、それぞれを電子機器１と呼ぶことがある。
【００１５】
電子機器１ａ〜１ｃのそれぞれは、通信ネットワーク２０１を通じて互いに通信することが可能である。通信ネットワーク２０１は、例えば、インターネットあるいは電話通信網などである。なお、図１の例示では、画像表示システム２００は、一つの送信端末（電子機器１ａ）と、二つの受信端末（電子機器１ｂ及び１ｃ）とを備えているが、受信端末は一つであってもよいし、三つ以上であってもよい。
【００１６】
＜電子機器の外観＞
図２は、電子機器１の外観の一例を概略的に示す斜視図である。図３は、電子機器１の外観の一例を概略的に示す裏面図である。図２及び図３に示されるように、電子機器１は、当該電子機器１の前面に位置するカバーパネル２と、当該カバーパネル２が貼り付けられるケース３とを備えている。カバーパネル２及びケース３は、電子機器１の外装を成している。電子機器１の形状は、例えば、平面視において略長方形の板状となっている。
【００１７】
カバーパネル２には、後述する表示部１２の表示が透過する透明の表示領域（表示窓とも呼ばれる）２ａが設けられている。表示領域２ａは例えば平面視で長方形を成している。表示部１２から出力される可視光は、表示領域２ａを通って電子機器１の外部に取り出される。電子機器１のユーザは、当該電子機器１の外部から、表示領域２ａを通じて表示部１２に表示される情報を視認可能となっている。カバーパネル２における、表示領域２ａを取り囲む周縁部２ｂの大部分は、例えばフィルム等が貼られることによって黒色となっている。これにより、周縁部２ｂの大部分は、表示部１２の表示が透過しない非表示部分となっている。
【００１８】
カバーパネル２の裏面には、後述するタッチパネル１３が貼り付けられている。そして、表示部１２は、タッチパネル１３におけるカバーパネル２側の主面とは反対側の主面に貼り付けられている。つまり、表示部１２は、タッチパネル１３を介してカバーパネル２の裏面に取り付けられている。電子機器１のユーザは、カバーパネル２の表示領域２ａを指等で操作することによって、電子機器１に対して各種指示を与えることができる。
【００１９】
図２の例示では、カバーパネル２の上側端部には、後述する前面側撮像部１７ａが有する撮像レンズが電子機器１の外部から視認できるための前面レンズ用透明部７ａが設けられている。また、カバーパネル２の上側端部には、レシーバ穴５があけられている。そして、カバーパネル２の下側端部にはマイク穴４があけられている。
【００２０】
図３の例示では、ケース３の裏面３ａの上側端部には、後述する裏面側撮像部１７ｂが有する撮像レンズが電子機器１の外部から視認できるための裏面レンズ用透明部７ｂが設けられている。また、電子機器１の裏面３ａの下側端部には、スピーカ穴８があけられている。
【００２１】
＜電子機器の電気的構成＞
図４は、電子機器１の電気的構成の一例を示すブロック図である。図４に示されるように、電子機器１には、制御部１０、無線通信部１１、表示部１２、タッチパネル１３、マイク１４、レシーバ１５、近距離無線通信部１６、前面側撮像部１７ａ、裏面側撮像部１７ｂ、スピーカ１８及び計時部１９が設けられている。電子機器１に設けられたこれらの構成要素のそれぞれは、ケース３内に収められている。
【００２２】
制御部１０は、一種のコンピュータであって、例えばＣＰＵ（Central Processing Unit）１０１、ＤＳＰ（Digital Signal Processor）１０２及び記憶部１０３等を備えている。制御部１０は、電子機器１の他の構成要素を制御することによって、電子機器１の動作を統括的に管理することが可能である。
【００２３】
記憶部１０３は、ＲＯＭ（Read Only Memory）及びＲＡＭ（Random Access Memory）等の、ＣＰＵ１０１及びＤＳＰ１０２が読み取り可能な非一時的な記録媒体で構成されている。記憶部１０３には、電子機器１を制御するためのメインプログラム及び複数のアプリケーションプログラム（以降、単にアプリケーションあるいはアプリと呼ぶことがある）等が記憶されている。制御部１０の各種機能は、ＣＰＵ１０１及びＤＳＰ１０２が記憶部１０３内の各種プログラムを実行することによって実現される。
【００２４】
なお、記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）等を備えていてもよい。また、制御部１０の機能の一部または全部は、その機能の実現にソフトウェアが不要なハードウェアによって実現されても構わない。
【００２５】
無線通信部１１は、アンテナ１１ａを有している。無線通信部１１は、例えば、電子機器１とは別の携帯電話機からの信号、あるいはインターネットに接続されたウェブサーバ等の通信装置からの信号を、基地局を介してアンテナ１１ａで受信することが可能である。無線通信部１１は、アンテナ１１ａでの受信信号に対して増幅処理及びダウンコンバートを行って制御部１０に出力することが可能である。制御部１０は、入力される受信信号に対して復調処理等を行って、当該受信信号に含まれる情報を取得することが可能である。
【００２６】
また無線通信部１１は、制御部１０で生成された送信信号に対して、アップコンバート及び増幅処理を行って、当該処理後の送信信号をアンテナ１１ａから無線送信することが可能である。アンテナ１１ａからの送信信号は、例えば、基地局を通じて、電子機器１以外の携帯電話機あるいはインターネットに接続されたウェブサーバ等の通信装置で受信される。
【００２７】
表示部１２は、例えば、液晶ディプレイあるいは有機ＥＬディスプレイによって構成される。表示部１２は、制御部１０に制御されることによって、文字、記号、図形あるいは画像などの各種情報を表示することが可能である。表示部１２が表示する情報は、カバーパネル２の表示領域２ａを通じて、電子機器１のユーザに視認可能となる。
【００２８】
タッチパネル１３は、カバーパネル２の表示領域２ａに対する指等の操作子による操作を検出することが可能である。タッチパネル１３は、例えば、投影型静電容量方式のタッチパネルである。ユーザが指等の操作子によってカバーパネル２の表示領域２ａに対して操作を行うと、それに応じた操作信号がタッチパネル１３から制御部１０に入力される。制御部１０は、タッチパネル１３からの操作信号に基づいて、表示領域２ａに対して行われた操作の内容を特定して、その内容に応じた処理を行うことが可能である。なお、ユーザは、指以外の操作子、例えば、スタイラスペンなどの静電式タッチパネル用ペンで表示領域２ａを操作することによっても、電子機器１に対して各種指示を与えることができる。
【００２９】
近距離無線通信部１６は、アンテナ１６ａを有している。近距離無線通信部１６は、アンテナ１６ａを使用して無線通信を行うことが可能である。近距離無線通信部１６の通信エリアは、無線通信部１１の通信エリアよりも狭くなっている。近距離無線通信部１６は、例えば、ＢＬＵＥＴＯＯＴＨ（登録商標）に準拠して通信を行うことが可能である。
【００３０】
前面側撮像部１７ａは、撮像レンズ及び撮像素子などで構成されている。前面側撮像部１７ａは、制御部１０による制御に基づいて、プレビュー画像、静止画像及び動画像を撮像することが可能である。前面側撮像部１７ａが有する撮像レンズは、電子機器１の前面に設けられた前面レンズ用透明部７ａから視認可能となっている。したがって、前面側撮像部１７ａは、電子機器１の前面側、つまりカバーパネル２側に存在する物体を撮像することが可能である。
【００３１】
裏面側撮像部１７ｂは、撮像レンズ及び撮像素子などで構成されている。裏面側撮像部１７ｂは、制御部１０による制御に基づいて、プレビュー画像、静止画像及び動画像を撮像することが可能である。裏面側撮像部１７ｂが有する撮像レンズは、ケース３の裏面３ａに設けられた裏面レンズ用透明部７ｂから視認可能となっている。したがって、裏面側撮像部１７ｂは、ケース３の裏面３ａ側に存在する物体を撮像することが可能である。以降、前面側撮像部１７ａ及び裏面側撮像部１７ｂを特に区別する必要がない場合には、それぞれを撮像部１７と呼ぶことがある。
【００３２】
マイク１４は、電子機器１の外部から入力される音を電気的な音信号に変換して制御部１０に出力することが可能である。電子機器１の外部からの音は、例えば、カバーパネル２の前面に設けられたマイク穴４から電子機器１の内部に取り込まれてマイク１４に入力される。
【００３３】
スピーカ１８は、例えばタイミックスピーカである。スピーカ１８は、制御部１０からの電気的な音信号を音に変換して出力することが可能である。スピーカ１８から出力される音は、例えば、ケース３の裏面３ａに設けられたスピーカ穴８から電子機器１の外部に出力される。スピーカ穴８から出力される音については、電子機器１から離れた場所でも聞こえるような音量となっている。
【００３４】
レシーバ１５は、受話音を出力するものであって、例えばダイナミックスピーカで構成されている。レシーバ１５は、制御部１０からの電気的な音信号を音に変換して出力することが可能である。レシーバ１５から出力される音は、例えば、電子機器１の前面に設けられたレシーバ穴５から外部に出力される。レシーバ穴５から出力される音の音量は、例えば、スピーカ１８からスピーカ穴８を介して出力される音の音量よりも小さくなっている。
【００３５】
なおレシーバ１５に替えて、圧電振動素子が設けられてもよい。圧電振動素子は、制御部１０によって制御され、音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバ１５に替えて圧電振動素子が設けられる場合には、レシーバ穴５は不要である。
【００３６】
計時部１９は、現在時刻を計時するとともに現在の日付を計時することが可能である。計時部１９は、例えばリアルタイムクロック（ＲＴＣ）等を備えている。計時部１９は、計時した時刻を示す時刻情報と、計時した日付を示す日付情報とを制御部１０に出力することが可能である。
【００３７】
＜電子機器の動作＞
以下では、電子機器１の動作について詳細に説明する。以下の説明では、画像表示システム２００が、送信端末として動作する電子機器１ａと、受信端末として動作する電子機器１ｂとを備えている場合について説明する。
【００３８】
図５は、電子機器１ａ及び１ｂの制御部１０に形成される機能ブロックの一例を示す図である。記憶部１０３には、画像共有アプリが記憶されている。電子機器１ａ及び１ｂのそれぞれが画像共有アプリを実行することによって、電子機器１ａ及び１ｂがそれぞれ有する表示部１２は、電子機器１ａの裏面側撮像部１７ｂが撮像するプレビュー画像を共有して表示することが可能である。
【００３９】
また本実施の形態では、画像共有アプリはビデオ通話機能を有している。このビデオ通話機能によって、電子機器１ａは、電子機器１ｂの前面側撮像部１７ａが撮像するビデオ通話用の画像を表示部１２に表示しながら電子機器１ｂと通話をすることが可能である。また、ビデオ通話機能によって、電子機器１ｂは、電子機器１ａの前面側撮像部１７ａが撮像するビデオ通話用の画像を表示部１２に表示しながら電子機器１ａと通話することが可能である。つまり、電子機器１ａ及び１ｂのそれぞれは、画像共有アプリを実行することによって、電子機器１ａの裏面側撮像部１７ｂが撮像するプレビュー画像を共有して各々の表示部１２に表示しながら、ビデオ通話の相手側の前面側撮像部１７ａが撮像するビデオ通話用の画像を互いに表示してビデオ通話することが可能となっている。この画像共有アプリが、メインプログラムを実行する制御部１０で実行されることによって、図５に示されるように、制御部１０には、画像共有部１００が形成される。画像共有部１００は、ビデオ通話制御部１１０、共有画像処理部１２０及び操作信号処理部１３０を備える。
【００４０】
画像共有アプリの実行中では、電子機器１ａ及び１ｂは、ビデオ通話制御部１１０による制御によってビデオ通話するビデオ通話モードで動作することができる。ビデオ通話モードで動作する電子機器１ａは、電子機器１ａの裏面側撮像部１７ｂが撮像するプレビュー画像を電子機器１ｂに送信する送信モードで動作することが可能である。送信モードで動作する電子機器１ａは、画像表示システム２００における送信端末として動作する。一方、ビデオ通話モードで動作する電子機器１ｂは、電子機器１ａが送信するプレビュー画像を受信する受信モードで動作することが可能である。受信モードで動作する電子機器１ｂは、画像表示システム２００における受信端末として動作する。以降、送信モードで動作する電子機器１ａと、受信モードで動作する電子機器１ｂとを、それぞれ、送信端末１ａ及び受信端末１ｂと呼ぶことがある。
【００４１】
送信端末１ａ及び受信端末１ｂがそれぞれ有する表示部１２は、制御部１０による制御によって、送信端末１ａが撮像している一連のプレビュー画像（以降、第１プレビュー画像と呼ぶことがある）を共有して表示する第１表示モード（以降、プレビューモードと呼ぶことがある）で動作することが可能である。また、送信端末１ａ及び受信端末１ｂがそれぞれ有する表示部１２は、電子機器１ａが撮像している一連のプレビュー画像のうち、プレビューを停止したときのプレビュー画像（以降、第２プレビュー画像と呼ぶことがある）を共有して表示する第２表示モード（以降、プレビュー停止モードと呼ぶことがある）で動作することが可能である。
【００４２】
第１プレビュー画像は送信端末１ａが有する裏面側撮像部１７ｂが取得した画像がそのまま表示部１２に表示されるため、第１プレビュー画像は常に更新されている。第１プレビュー画像は、一種の動画であると言える。一方で第２プレビュー画像は、更新され続ける第１プレビュー画像のうちある時点の画像であるため、静止画となる。第２プレビュー画像は静止画となるため、第１プレビュー画像と異なり送信端末１ａの裏面側撮像部１７ｂが取得した画像によって更新されない。第２プレビュー画像は、動画である第１プレビュー画像に含まれる一枚のフレーム画像であると言える。
【００４３】
電子機器１は、制御部１０の制御によって、送信モードで動作する送信端末として、あるいは受信モードで動作する受信端末として動作することが可能である。以下では、電子機器１ａが送信モードで動作し、電子機器１ｂが受信モードで動作する場合について説明する。
【００４４】
図６は、送信端末として動作する電子機器１ａの動作の一例を示すフローチャートである。まず、ステップＳ１において、電子機器１ａの制御部１０は、記憶部１０３内の画像共有アプリを実行（起動）する。表示部１２は、例えば、電子機器１が各種アプリを実行する前の初期状態において、初期画面（以降、ホーム画面と呼ぶことがある）を表示している。また、表示部１２は、ホーム画面において、アプリを実行するための図形（以降、アプリ実行用図形と呼ぶことがある）を表示している。アプリ実行用図形は、アイコンと呼ばれる図形を含んでいてもよい。制御部１０は、表示部１２に表示される、画像共有アプリを実行するためのアプリ実行用図形に対するユーザの選択操作をタッチパネル１３が検出すると、記憶部１０３内の画像共有アプリを実行する。
【００４５】
表示部１２が表示するアプリ実行用図形に対する選択操作として、例えば、カバーパネル２の表示領域２ａに表示されるアプリ実行用図形に対して、ユーザが指等の操作子を近づけた後、当該操作子を遠ざける操作が考えられる。また、アプリ実行用図形に対する選択操作として、例えば、カバーパネル２の表示領域２ａに表示されるアプリ実行用図形に対して、ユーザが指等の操作子を接触させた後、当該操作子を遠ざける操作が考えられる。これらの操作は、いわゆるタップ操作と呼ばれる。なお、このタップ操作による選択操作は、アプリ実行用図形に対する選択操作以外にも、表示部１２が表示する画像に対する選択操作として使用される。以下ではタップ操作による選択操作についての繰り返しの説明を省略する。
【００４６】
ステップＳ１において電子機器１ａで画像共有アプリが実行されると、次にステップＳ２が実行される。ステップＳ２において、電子機器１ａは、ビデオ通話制御部１１０による制御によって、ビデオ通話するためのビデオ通話モードで動作する。一方、電子機器１ｂにおいても、電子機器１ａにおける所定の操作に基づいて画像共有アプリが実行される。例えば、電子機器１ｂは、電子機器１ａから発信されるビデオ通話を着信することによって、画像共有アプリを実行する。そして、電子機器１ｂが電子機器１ａからのビデオ通話の着信に応答することによって、電子機器１ａと電子機器１ｂとの間でビデオ通話が開始される。
【００４７】
図７は、ビデオ通話モードで動作する電子機器１ａ及び１ｂの表示部１２が表示するビデオ通話画面２０の一例を概略的に示す図である。図７に示されるように、ビデオ通話画面２０には、ビデオ通話の相手側が撮像するビデオ通話用の画像２１が表示される。電子機器１ａが表示する画像２１は、例えば、電子機器１ｂが有する前面側撮像部１７ａによって撮像される。また画像２１は、例えば、ビデオ通話の相手の顔２１ａを含む。これにより、電子機器１ａのユーザは、電子機器１ｂのユーザの顔２１ａを見ながら通話することができる。一方、電子機器１ｂが表示する画像２１は、例えば、電子機器１ａが有する前面側撮像部１７ａによって撮像される。画像２１は、順次更新されることから、一種の動画であると言える。また、電子機器１ａ及び１ｂが表示するビデオ通話画面２０には、後述する共有画像を表示するための共有ボタン２２と、画像共有アプリを終了するための終了ボタン２３とが表示されている。
【００４８】
画像共有アプリの実行中に、タッチパネル１３が終了ボタン２３への操作を検出すると、制御部１０は、画像共有アプリの実行を終了する。画像共有アプリの実行が終了すると、表示部１２は、例えばホーム画面を再度表示する。
【００４９】
なお、電子機器１のボタンに対する操作は、表示部１２が表示するボタンに対するタップ操作に限られず、例えば、ケース３に設けられたハードボタンに対する押下等であってもよい。この内容は、後述する他の操作についても適用されるので、以下では繰り返しの説明を省略する。
【００５０】
次に、ステップＳ３〜Ｓ５において、電子機器１ａが送信モードで動作し、電子機器１ｂが受信モードで動作するための一連の処理が実行される。
【００５１】
まず、ステップＳ３において、電子機器１ａの画像共有部１００は、電子機器１ａの表示部１２が表示する共有ボタン２２への操作を検出する。具体的には、画像共有部１００は、タッチパネル１３からの操作信号に基づいて、共有ボタン２２への操作を検出する。次に、ステップＳ４において、電子機器１ａの操作信号処理部１３０は、無線通信部１１に、電子機器１ａの表示部１２が表示する共有ボタン２２が操作されたことを示す操作信号を電子機器１ｂに送信させる。そしてステップＳ５において、電子機器１ａは、送信モードでの動作を開始する。一方、電子機器１ｂは、電子機器１ａから送信される、電子機器１ａが表示する共有ボタン２２が操作されたことを示す操作信号を無線通信部１１で受信する。そして、電子機器１ｂは、受信モードで動作する。
【００５２】
なお、上記の例では、電子機器１ａが送信モードで動作し、電子機器１ｂが受信モードで動作する場合について説明したが、電子機器１ａが表示する共有ボタン２２への操作が検出されず、電子機器１ｂが表示する共有ボタン２２への操作が検出された場合には、電子機器１ｂが送信モードで動作し、電子機器１ａが受信モードで動作する。
【００５３】
＜プレビュー画像の共有＞
以下では、送信端末１ａ（送信モードで動作する電子機器１）が撮像するプレビュー画像を、当該送信端末１ａと受信端末１ｂ（受信モードで動作する電子機器１）とが共有して表示するための動作について詳細に説明する。
【００５４】
図８は、送信端末１ａの制御部１０に形成される機能ブロックの一例を示す図である。図９は、受信端末１ｂの制御部１０に形成される機能ブロックの一例を示す図である。図８及び図９では、図５で示した共有画像処理部１２０に形成される機能ブロックの詳細を示している。図８では、送信端末１ａに形成される共有画像処理部１２０を共有画像処理部１２０ａとして示している。また、図９では、受信端末１ｂに形成される共有画像処理部１２０を共有画像処理部１２０ｂとして示している。図８に示されるように、送信端末１ａの共有画像処理部１２０ａには、共有画像送信制御部１２１、入力情報配置部１２２、表示制御部１２３及び画像記憶制御部１２４が形成される。一方、図９に示されるように、受信端末１ｂの共有画像処理部１２０ｂには、共有画像取得部１２５、入力情報配置部１２２、表示制御部１２３及び画像記憶制御部１２４が形成される。
【００５５】
図１０は、送信端末１ａの動作の一例を示すフローチャートである。以下では、図１０のフローチャートに沿って、送信端末１ａ及び受信端末１ｂが、送信端末１ａが撮像するプレビュー画像を共有して表示する動作について説明する。まず、ステップＳ２１において、送信端末１ａは第１プレビュー画像を撮像する。送信端末１ａは、例えば、裏面側撮像部１７ｂによって第１プレビュー画像を撮像する。送信端末１ａは、例えば、前面側撮像部１７ａによってビデオ通話用の画像２１を撮像しながら、裏面側撮像部１７ｂによってビデオ通話用の画像２１とは別に第１プレビュー画像を撮像することができる。
【００５６】
次に、ステップＳ２２において、送信端末１ａの表示部１２は、表示制御部１２３の制御によって、第１プレビュー画像を表示する。次にステップＳ２３において、共有画像送信制御部１２１は、無線通信部１１に、裏面側撮像部１７ｂが撮像している第１プレビュー画像を共有画像として受信端末１ｂに送信させる。一方、受信端末１ｂの共有画像取得部１２５は、受信端末１ｂの無線通信部１１が受信する第１プレビュー画像を取得する。すなわち、受信端末１ｂの共有画像取得部１２５は、送信端末１ａが送信する第１プレビュー画像を取得する。そして、受信端末１ｂの表示部１２は、表示制御部１２３の制御によって、共有画像取得部１２５が取得した第１プレビュー画像を表示する。ステップＳ２１〜Ｓ２３の一連の処理によって、送信端末１ａ及び受信端末１ｂがそれぞれ有する表示部１２は、送信端末１ａが撮像する第１プレビュー画像を共有して表示するプレビューモードで動作する。
【００５７】
図１１は、送信端末１ａ及び受信端末１ｂのそれぞれの表示部１２がプレビューモードで表示する共有画面３０ａの一例を概略的に示す図である。図１１に示されるように、共有画面３０ａには、送信端末１ａが撮像する第１プレビュー画像３１ａと、ビデオ通話の相手側が撮像しているビデオ通話用の画像２１が表示されている。画像２１は、第１プレビュー画像３１ａに重ねて表示されている。また、共有画面３０ａには、終了ボタン３２、モード変更ボタン３３、書き込みボタン３４及び静止画保存ボタン３５が第１プレビュー画像３１ａに重ねて表示されている。これらのボタンについては、後で詳細に説明する。
【００５８】
第１プレビュー画像３１ａは、送信端末１ａ及び受信端末１ｂがそれぞれ有する表示部１２で共有して表示される共有画像である。図１１の例示では、第１プレビュー画像３１ａは、文字列３６ａを含む対象物体３６を含んでいる。対象物体３６は例えば旅行パンフレットであって、送信端末１ａ及び受信端末１ｂのそれぞれのユーザは、共通に表示される旅行パンフレットを見ながら、ビデオ通話によって旅行の内容を相談することができる。
【００５９】
次に、ステップＳ２４において、送信端末１ａの共有画像処理部１２０ａは、モード変更ボタン３３が操作されたか否かを判定する。具体的には、送信端末１ａ及び受信端末１ｂがそれぞれ表示するモード変更ボタン３３のいずれかが操作されたか否かを判定する。送信端末１ａは、タッチパネル１３からの操作信号に基づいて送信端末１ａのモード変更ボタン３３が操作されたか否かを判定することができる。また、受信端末１ｂのモード変更ボタン３３が操作された場合には、受信端末１ｂの操作信号処理部１３０は、無線通信部１１に、当該モード変更ボタン３３が操作されたことを示す操作信号を送信端末１ａに送信させる。送信端末１ａの共有画像処理部１２０ａは、無線通信部１１が受信する当該操作信号を取得することによって、受信端末１ｂが表示するモード変更ボタン３３が操作されたと判定することができる。
【００６０】
ステップＳ２４において否定的な判定がなされると、ステップＳ２１が再度実行される。ステップＳ２４において肯定的な判定がなされるまでの間、送信端末１ａ及び受信端末１ｂがそれぞれ有する表示部１２は、送信端末１ａが撮像する第１プレビュー画像３１ａを表示するプレビューモードで動作する。
【００６１】
一方、ステップＳ２４において肯定的な判定がなされると、ステップＳ２５が実行される。ステップＳ２５において、送信端末１ａ及び受信端末１ｂの表示部１２は、プレビューモードでの動作を停止する。
【００６２】
次に、ステップＳ２６において、送信端末１ａ及び受信端末１ｂの表示部１２は、表示制御部１２３の制御によって、プレビューモードを停止したときに表示していた第１プレビュー画像３１ａ、つまり第２プレビュー画像を表示する。ステップＳ２５及びＳ２６の処理によって、送信端末１ａ及び受信端末１ｂがそれぞれ有する表示部１２は、送信端末１ａが撮像した第２プレビュー画像を表示するプレビュー停止モードで動作する。
【００６３】
図１２は、送信端末１ａ及び受信端末１ｂがそれぞれ有する表示部１２がプレビュー停止モードで表示する共有画面３０ｂの一例を概略的に示す図である。図１２に示されるように、共有画面３０ｂには、共通の第２プレビュー画像３１ｂと、ビデオ通話の相手側が撮像するビデオ通話用の画像２１が表示されている。画像２１は、第２プレビュー画像３１ｂ上に重ねて表示される。また、共有画面３０ｂには、終了ボタン３２、モード変更ボタン３３、書き込みボタン３４及び静止画保存ボタン３５が第２プレビュー画像３１ｂ上に重ねて表示されている。
【００６４】
図１２の例示では、第２プレビュー画像３１ｂは、対象物体３６において文字列３６ａを含む右上部分を拡大して示している。図１２で示される第２プレビュー画像３１ｂは、例えば、プレビューモードの表示部１２が対象物体３６の右上部分を拡大して表示しているときに、モード変更ボタン３３が操作された場合の画像を示している。このように、プレビュー停止モードの表示部１２は、プレビューモードの表示部１２が表示していた第１プレビュー画像３１ａのうちプレビューモードが停止された時点の第１プレビュー画像３１ａを第２プレビュー画像３１ｂとして表示することから、ユーザは、プレビューモードの表示部１２が表示していた第１プレビュー画像３１ａが更新されるのを止めたときの画像を第２プレビュー画像３１ｂとしてじっくりと見ることができる。
【００６５】
次に、ステップＳ２７において、共有画像処理部１２０ａは、モード変更ボタン３３が操作されたか否かを判定する。具体的には、送信端末１ａ及び受信端末１ｂがそれぞれ表示するモード変更ボタン３３のいずれか一つが操作されたか否かを判定する。この処理は、ステップＳ２４での処理と同様であるため説明を省略する。
【００６６】
ステップＳ２７において、否定的な判定がなされると、ステップＳ２６が再度実行される。ステップＳ２７において肯定的な判定がなされるまでの間、送信端末１ａ及び受信端末１ｂがそれぞれ有する表示部１２は、共通の第２プレビュー画像３１ｂを表示するプレビュー停止モードで動作する。
【００６７】
一方、ステップＳ２７において肯定的な判定がなされると、ステップＳ２１が再度実行される。そして、送信端末１ａ及び受信端末１ｂがそれぞれ有する表示部１２は、送信端末１ａが撮像する第１プレビュー画像３１ａを表示するプレビューモードで動作する。
【００６８】
表示部１２がプレビューモードあるいはプレビュー停止モードで動作しているとき、タッチパネル１３が終了ボタン３２への操作を検出すると、表示部１２は、プレビューモードあるいはプレビュー停止モードでの動作を終了する。そして、表示部１２は、例えば、ビデオ通話画面２０を再度表示する。
【００６９】
＜入力情報の表示＞
電子機器１は、表示部１２がプレビューモードあるいはプレビュー停止モードで動作しているときに、当該表示部１２が表示する書き込みボタン３４への操作を検出することによって、ユーザが当該電子機器１に入力情報を入力することができる書き込みモードで動作する。表示部１２は、書き込みモードで動作する電子機器１に入力された入力情報を、プレビュー画像に重ねて表示する。
【００７０】
＜プレビュー停止モードでの入力情報の表示＞
図１３は、受信端末１ｂに入力情報が入力され、送信端末１ａ及び受信端末１ｂが当該入力情報を表示する動作の一例を示すフローチャートである。以下では、図１３のフローチャートに沿って、送信端末１ａ及び受信端末１ｂの表示部１２がプレビュー停止モードで動作しているときに、受信端末１ｂに入力情報が入力される場合を例に説明する。
【００７１】
まず、ステップＳ３１において、受信端末１ｂのタッチパネル１３は、受信端末１ｂの表示部１２が表示する書き込みボタン３４への操作を検出する。
【００７２】
次に、ステップＳ３２において、受信端末１ｂは、書き込みモードで動作する。受信端末１ｂが書き込みモードで動作している場合、ユーザは、当該受信端末１ｂに情報を入力することができる。ユーザは、例えば、指等の操作子で表示領域２ａに図形などを描くことによって、受信端末１ｂに当該図形などの情報を入力することができる。このような情報の入力操作は、タッチパネル１３によって検出される。
【００７３】
図１４は、書き込みモードで動作する受信端末１ｂに入力情報が入力される様子を示している。図１４では、送信端末１ａ及び受信端末１ｂの表示部１２がプレビュー停止モードで動作しているときに、受信端末１ｂが表示する書き込みボタン３４が操作された場合について示している。図１４に示されるように、書き込みモードで動作する受信端末１ｂの表示部１２が表示する書き込み画面４０には、第２プレビュー画像３１ｂ、終了ボタン４１、基準図形４２及び入力情報４３が表示されている。基準図形４２は、後述するように、入力情報４３の表示位置及び表示サイズの基準となる図形であって、例えば、書き込み画面４０の中央部に表示される。図１４の例示では、入力情報４３は、操作子４４が、書き込み画面４０での文字列３６ａの一部を囲むようになぞることによって入力された図形である。入力情報４３は、書き込み画面４０において、第２プレビュー画像３１ｂの上に重ねて表示される。ユーザは、例えば、第２プレビュー画像３１ｂにおいて、気になる箇所に印をつけることができる。あるいは、ユーザは、第２プレビュー画像３１ｂにおいて、メモやコメント等を追記することができる。
【００７４】
書き込み画面４０における入力情報４３の表示位置は、例えば、第２プレビュー画像３１ｂの一部を基準画像として、当該基準画像の表示位置に対する相対的な表示位置として記憶部１０３に記憶される。また、書き込み画面４０における入力情報４３の表示サイズは、例えば、基準画像の表示サイズに対する相対的な表示サイズとして記憶部１０３に記憶される。基準画像としては、例えば、第２プレビュー画像３１ｂにおいて、図１４に示される基準図形４２の中心から所定範囲内に位置する部分画像が採用される。なお、基準図形４２を書き込み画面４０に表示せずに、第２プレビュー画像３１ｂにおいて、書き込み画面４０での所定位置から所定範囲内に位置する部分画像を基準画像としてもよい。
【００７５】
タッチパネル１３が終了ボタン４１への操作を検出すると、受信端末１ｂは、書き込みモードでの動作を終了する。そして、ステップＳ３３において、受信端末１ｂの表示部１２は、書き込み画面４０で表示した入力情報４３を共有画面３０ｂに表示する。図１５は、入力情報４３が入力された受信端末１ｂの表示部１２が表示する共有画面３０ｂの一例を概略的に示す図である。図１５に示されるように、共有画面３０ｂには、入力情報４３が、第２プレビュー画像３１ｂに重ねて表示されている。上記のように、表示部１２がプレビュー停止モードで動作しているときに入力情報４３が入力された場合には、共有画面３０ｂにおける入力情報４３の表示位置及び表示サイズは、それぞれ、当該入力情報４３が入力された書き込み画面４０における表示位置及び表示サイズと一致している。
【００７６】
次に、ステップＳ３４において、入力情報４３が入力された受信端末１ｂの入力情報配置部１２２は、送信端末１ａが当該入力情報４３を表示するための配置情報を生成する。そして、入力情報配置部１２２は、無線通信部１１に、生成した配置情報を送信端末１ａに送信させる。当該配置情報には、入力情報４３と、共有画面３０ｂにおける当該入力情報４３の表示位置及び表示サイズの情報とが含まれる。配置情報を受信した送信端末１ａは、当該配置情報に基づいて、送信端末１ａの表示部１２が表示する共有画面３０ｂに入力情報４３を表示する。送信端末１ａの表示部１２が表示する共有画面３０ｂは、図１５に示した受信端末１ｂの共有画面３０ｂと同様になる。
【００７７】
以上のように、送信端末１ａ及び受信端末１ｂがそれぞれ有する表示部１２は、受信端末１ｂに入力された入力情報４３を、第２プレビュー画像に重ねて表示する。これにより、送信端末１ａ及び受信端末１ｂのそれぞれのユーザは、受信端末１ｂのユーザによって入力された入力情報４３を第２プレビュー画像とともに見ることができる。
【００７８】
なお、上記の例では、書き込みモードで動作する受信端末１ｂに入力情報４３が入力される場合を例に説明したが、送信端末１ａの書き込みボタン３４が操作されて、書き込みモードで動作する送信端末１ａに入力情報４３が入力されてもよい。送信端末１ａに入力情報４３が入力される場合には、送信端末１ａの入力情報配置部１２２は、無線通信部１１を通じて、受信端末１ｂに、受信端末１ｂが当該入力情報４３を表示するための配置情報を送信する。これにより、送信端末１ａ及び受信端末１ｂがそれぞれ有する表示部１２は、送信端末１ａに入力された入力情報４３を、共有画像に重ねて表示することができる。
【００７９】
＜プレビューモードでの入力情報の表示＞
以下では、表示部１２の動作モードがプレビュー停止モードからプレビューモードに切り替わった場合に、プレビュー停止モードで第２プレビュー画像３１ｂに重ねて表示した入力情報４３を、プレビューモードで動作する表示部１２が表示する場合について説明する。以下の説明では、送信端末１ａと受信端末１ｂとを区別せずに、電子機器１として説明する。
【００８０】
上述のように、表示部１２がプレビュー停止モードで動作していたときに、電子機器１に入力された入力情報４３の表示位置は、第２プレビュー画像３１ｂの一部である基準画像の表示位置に対する相対的な位置として記憶部１０３に記憶される。また、入力情報４３の表示サイズは、基準画像の表示サイズに対する相対的な大きさとして記憶部１０３に記憶される。
【００８１】
表示部１２の動作モードがプレビュー停止モードからプレビューモードに切り替わるときに、プレビュー停止モードで表示した入力情報４３がある場合には、入力情報配置部１２２は、プレビューモードの表示部１２が表示する第１プレビュー画像３１ａにおいて、プレビュー停止モードで表示した基準画像に対応する画像を特定する処理を行う。この処理は、例えば、周知の画像認識技術などによって実現される。基準画像とは表示される位置あるいはサイズが異なる画像を基準画像に対応する画像と特定するために、例えば、特徴点抽出などによる画像認識技術が用いられる。第１プレビュー画像３１ａにおいて、プレビュー停止モードで表示した基準画像に対応する画像は、第１プレビュー画像３１ａにおいて、当該基準画像に写る被写体と同じ被写体が写る画像であると言える。
【００８２】
第１プレビュー画像３１ａにおいて、第２プレビュー画像３１ｂにおける基準画像と対応する画像が特定された場合には、入力情報配置部１２２は、当該画像の表示位置及び表示サイズと、記憶部１０３に記憶された、基準画像に対する入力情報４３の相対的な表示位置及び表示サイズとに基づいて、第１プレビュー画像３１ａにおける入力情報４３の表示位置及び表示サイズを決定する。そして、入力情報４３は、第１プレビュー画像３１ａに重ねて表示される。一方、第１プレビュー画像３１ａにおいて、基準画像に対応する画像が特定されない場合には、入力情報配置部１２２は、例えば、基準画像に対応する画像が特定されるまで、所定時間毎に当該画像を特定する処理を繰り返す。
【００８３】
プレビューモードの表示部１２が表示する共有画面３０ａにおいて、第１プレビュー画像３１ａにおける基準画像と対応する画像の表示位置及び表示サイズは、当該第１プレビュー画像３１ａを撮像する送信端末１ａの移動などによって変化する。この場合、第１プレビュー画像３１ａにおける基準画像と対応する画像の表示位置及び表示サイズの変化に伴って、入力情報４３の表示位置及び表示サイズがそれぞれ変化する。
【００８４】
図１６（ａ）〜（ｃ）は、共有画面３０ａにおいて、入力情報４３の表示が変化する様子を説明するための図である。図１６（ａ）〜（ｃ）では、第１プレビュー画像３１ａを撮像している送信端末１ａの移動などによって、第１プレビュー画像３１ａにおける基準画像と対応する画像の表示位置及び表示サイズが変化する場合に、入力情報４３が表示されなくなったり、再度表示されたりする様子を示している。図１６（ａ）〜（ｃ）のそれぞれは、その順で、プレビューモードの表示部１２が時系列に表示する一連の共有画面３０ａを示している。
【００８５】
まず、プレビューモードの表示部１２は、図１６（ａ）に示される共有画面３０ａを表示する。図１６（ａ）の例示では、共有画面３０ａにおいて対象物体３６の全体が表示されている。また、入力情報４３は、基準画像と対応する画像との相対的な表示位置及び表示サイズに基づいて、対象物体３６の右上部分に重ねて表示されている。
【００８６】
次に、表示部１２は、図１６（ｂ）に示される共有画面３０ａを表示する。図１６（ｂ）の例示では、例えば、第１プレビュー画像３１ａを撮像している送信端末１ａが図１６（ａ）での状態から左側に移動したことによって、対象物体３６の略左半分が表示されている。この場合、基準画像と対応する画像の表示位置の移動に伴って、入力情報４３の表示位置も移動する。また、第１プレビュー画像３１ａにおける基準画像と対応する画像の表示位置に基づく、入力情報４３の表示位置が共有画面３０ａの表示範囲外となる場合には、図１６（ｂ）に示されるように当該入力情報４３は表示されない。
【００８７】
次に、表示部１２は、図１６（ｃ）に示される共有画面３０ａを表示する。図１６（ｃ）の例示では、例えば、第１プレビュー画像３１ａを撮像する送信端末１ａが図１６（ｂ）での状態から右側かつ対象物体３６に近づくように移動したことによって、対象物体３６の略右半分が拡大されて表示されている。このように、第１プレビュー画像３１ａにおける基準画像と対応する画像の表示位置に基づく入力情報４３の表示位置が、再び共有画面３０ａの表示範囲内になった場合には、入力情報４３が再度表示される。また、第１プレビュー画像３１ａにおける基準画像と対応する画像の表示サイズの拡大に伴って、入力情報４３も拡大して表示される。
【００８８】
第１プレビュー画像３１ａにおける基準画像と対応する画像の表示位置及び表示サイズの変化に伴って、入力情報４３の表示位置及び表示サイズをそれぞれ変更するために、当該基準画像と対応する画像を特定する処理が所定時間毎に実行される。あるいは、第１プレビュー画像３１ａにおける基準画像と対応する画像が一旦特定されたあとは、当該画像の表示位置及び表示サイズの変化を検出することによって入力情報４３の表示位置及び表示サイズをそれぞれ変更してもよい。これには、例えば、周知のオブジェクトトラッキングなどの画像処理技術が用いられる。このオブジェクトトラッキングは、例えば、第１プレビュー画像３１ａにおいて動きベクトルを算出することによって実現される。
【００８９】
上記のように、プレビュー停止モードの表示部１２は、電子機器１に入力される入力情報４３を、第２プレビュー画像３１ｂに重ねて表示する。また、表示部１２の表示モードがプレビュー停止モードからプレビューモードに切り替わった場合、当該表示部１２は、プレビュー停止モードで第２プレビュー画像３１ｂに重ねて表示した入力情報４３を、第１プレビュー画像３１ａに重ねて表示する。第１プレビュー画像３１ａに重ねて表示される入力情報４３は、プレビューモードでの第１プレビュー画像３１ａにおける、プレビュー停止モードでの基準画像と対応する画像の表示位置及び表示サイズに基づいて表示される。これにより、電子機器１のユーザは、第１プレビュー画像３１ａに重ねて表示させたい入力情報４３を、当該第１プレビュー画像３１ａにおける入力情報４３を重ねたい部分の画像と対応する第２プレビュー画像３１ｂを見ながら入力することができる。よって、ユーザは、第１プレビュー画像３１ａに重ねて表示させたい入力情報４３を入力しやすくなる。
【００９０】
＜プレビューモードでの情報の入力＞
以下では、送信端末１ａ及び受信端末１ｂの表示部１２がプレビューモードで動作しているときに、受信端末１ｂに入力情報４３が入力される場合について説明する。
【００９１】
送信端末１ａ及び受信端末１ｂがそれぞれ有する表示部１２がプレビューモードで動作しているときに、受信端末１ｂの表示部１２が表示する書き込みボタン３４が操作された場合、受信端末１ｂは書き込みモードで動作する。受信端末１ｂがプレビューモードから書き込みモードに切り替わった場合には、図１４で示した書き込み画面４０とは異なり、書き込み画面４０には、第２プレビュー画像３１ｂに替わり第１プレビュー画像３１ａが表示される。入力情報４３の入力操作は、プレビュー停止モードでの入力操作と同様であるので詳細な説明は省略する。
【００９２】
第１プレビュー画像３１ａにおける入力情報４３の表示位置は、例えば、第１プレビュー画像３１ａの一部を基準画像として、当該基準画像の表示位置に対する相対的な位置として記憶部１０３に記憶される。また、第１プレビュー画像３１ａにおける入力情報４３の表示サイズは、例えば、基準画像の表示サイズに対する相対的な大きさとして記憶部１０３に記憶される。基準画像としては、例えば、第１プレビュー画像３１ａにおいて、基準図形４２の中心から所定範囲内に位置する部分画像が採用される。
【００９３】
第２プレビュー画像３１ｂの一部を基準画像とした場合と異なり、第１プレビュー画像３１ａにおいて、基準図形４２の中心から所定範囲内に位置する部分画像は、例えば、当該第１プレビュー画像３１ａを撮像している送信端末１ａの移動などによって、入力情報４３の入力操作中に変化する場合がある。このため、例えば、受信端末１ｂがプレビューモードから書き込みモードに切り替わったときに表示される第１プレビュー画像３１ａにおいて、基準図形４２の中心から所定範囲内に位置する部分画像を基準画像とする。
【００９４】
タッチパネル１３が終了ボタン４１への操作を検出すると、受信端末１ｂは書き込みモードでの動作を終了する。そして、受信端末１ｂの表示部１２は、書き込み画面４０で表示した入力情報４３を、プレビューモードで表示する共有画面３０ａに表示する。
【００９５】
共有画面３０ａに表示される、プレビューモードで動作しているときに入力された入力情報４３の表示位置及び表示サイズはそれぞれ、第１プレビュー画像３１ａにおける基準画像に対応する画像の表示位置及び表示サイズに基づいて決定される。この入力情報４３の表示位置及び表示サイズの決定は、プレビュー停止モードで入力された入力情報４３をプレビューモードで表示する場合と同様の処理によって行われる。
【００９６】
そして、入力情報４３が入力された受信端末１ｂの入力情報配置部１２２は、送信端末１ａに、送信端末１ａが当該入力情報４３を表示するための配置情報を無線通信部１１を通じて送信する。配置情報には、入力情報４３と、共有画面３０ａにおける当該入力情報４３の表示位置及び表示サイズの情報とが含まれる。配置情報を受信した送信端末１ａは、当該配置情報に基づいて、送信端末１ａの表示部１２が表示する共有画面３０ａに入力情報４３を表示する。
【００９７】
なお、上記の例では、書き込みモードで動作する受信端末１ｂに入力情報４３が入力される場合を例に説明したが、送信端末１ａの書き込みボタン３４が操作されて、書き込みモードで動作する送信端末１ａに入力情報４３が入力されてもよい。送信端末１ａに入力情報４３が入力される場合には、送信端末１ａの入力情報配置部１２２は、受信端末１ｂに、受信端末１ｂが当該入力情報４３を表示するための配置情報を無線通信部１１を通じて送信する。これにより、送信端末１ａ及び受信端末１ｂがそれぞれ有する表示部１２は、送信端末１ａに入力された入力情報４３を、共有画像に重ねて表示することができる。
【００９８】
表示部１２がプレビューモードからプレビュー停止モードに切り替わるときに、プレビューモードで表示した入力情報４３がある場合には、当該入力情報４３を、プレビュー停止モードで表示する第２プレビュー画像３１ｂに重ねて表示する。この処理は、表示部１２の動作モードがプレビュー停止モードからプレビューモードに切り替わるときに、プレビュー停止モードで表示した入力情報４３をプレビューモードで表示する第１プレビュー画像３１ａに重ねて表示する場合と同様の処理が行われる。具体的には、表示部１２の表示モードがプレビュー停止モードからプレビューモードに切り替わった場合、当該表示部１２は、プレビューモードで第１プレビュー画像３１ａに重ねて表示した入力情報４３を、プレビュー停止モードでの第２プレビュー画像３１ｂにおける、プレビューモードでの基準画像と対応する画像の表示位置及び表示サイズに基づいて、第２プレビュー画像３１ｂに重ねて表示する。
【００９９】
＜共有画面の保存＞
本実施の形態では、送信端末１ａ及び受信端末１ｂのそれぞれは、各々の表示部１２が表示する共有画面を静止画像として記憶部１０３に保存することができる。また、送信端末１ａ及び受信端末１ｂのそれぞれは、各々の表示部１２が表示する共有画面を動画像として記憶部１０３に保存することができる。以下の説明では、送信端末１ａ及び受信端末１ｂを特に区別せずに、電子機器１として説明する。
【０１００】
図１７は、制御部１０に形成される機能ブロックの一例を示す図である。図１７では、図８及び図９で示した画像記憶制御部１２４に形成される機能ブロックの詳細を示している。図１７に示されるように、画像記憶制御部１２４は、プレビューモードあるいはプレビュー停止モードで動作する表示部１２が表示する共有画面を静止画像として記憶部１０３に保存するための静止画像記憶制御部１２４ａを備える。また、画像記憶制御部１２４は、プレビューモードあるいはプレビュー停止モードで動作する表示部１２が表示する共有画面を動画像として記憶部１０３に保存するための動画像記憶制御部１２４ｂを備える。静止画像記憶制御部１２４ａは、入力情報量検出部１２４ａａ、通話量検出部１２４ａｂ及び通話音量検出部１２４ａｃを備える。動画像記憶制御部１２４ｂは、タイミング特定部１２４ｂａを備える。
【０１０１】
静止画像記憶制御部１２４ａは、タッチパネル１３が、プレビュー停止モードで動作する表示部１２が表示する共有画面３０ｂでの静止画保存ボタン３５への操作を検出したときに、当該共有画面３０ｂを静止画像として記憶部１０３に保存することができる。また、静止画像記憶制御部１２４ａは、タッチパネル１３が、プレビューモードで動作する表示部１２が表示する共有画面３０ａでの静止画保存ボタン３５への操作を検出したときに、当該共有画面３０ａを静止画像として記憶部１０３に保存することができる。本例では、静止画像記憶制御部１２４ａが、記憶部１０３が備える、フラッシュＲＯＭ等の不揮発性メモリに静止画像を記憶することによって、当該静止画像が記憶部１０３に保存される。共有画面３０ａあるいは共有画面３０ｂが、電子機器１に入力される入力情報４３を含んでいる場合には、静止画像記憶制御部１２４ａが記憶部１０３に保存する静止画像は、入力情報４３を含んでいる。
【０１０２】
静止画像記憶制御部１２４ａは、タッチパネル１３が、表示部１２が表示する静止画保存ボタン３５への操作を検出したときに、当該表示部１２が表示する共有画面を静止画像として記憶部１０３に保存することから、ユーザは、表示部１２が表示する共有画面を所望のタイミングで電子機器１に静止画像として記憶部１０３に保存させることができる。そして、ユーザは、記憶部１０３に保存された静止画像を、後から確認することができる。
【０１０３】
入力情報量検出部１２４ａａは、プレビュー停止モードで動作する表示部１２が表示する共有画面３０ｂに表示される入力情報４３の情報量を検出することができる。この入力情報４３の情報量としては、例えば、当該入力情報４３の表示画像データサイズが採用される。静止画像記憶制御部１２４ａは、プレビュー停止モードで動作する表示部１２が表示する共有画面３０ｂにおける入力情報４３の情報量が所定量以上になったときに、当該共有画面３０ｂを静止画像として記憶部１０３に保存することができる。また、入力情報量検出部１２４ａａは、プレビューモードで動作する表示部１２が表示する共有画面３０ａに表示される入力情報４３の情報量を検出する。静止画像記憶制御部１２４ａは、プレビューモードで動作する表示部１２が表示する共有画面３０ａにおける入力情報４３の情報量が所定量以上になったときに、当該共有画面３０ａを静止画像として記憶部１０３に保存することができる。
【０１０４】
静止画像記憶制御部１２４ａは、共有画面に表示される入力情報４３の情報量が所定量以上になったときに、当該共有画面を静止画像として記憶部１０３に保存することから、ユーザは、入力情報４３を所定量以上含む共有画面を後から確認することができる。
【０１０５】
通話量検出部１２４ａｂは、電子機器１がビデオ通話モードで動作する場合に、所定時間あたりの通話量を検出することができる。通話量検出部１２４ａｂは、例えば、無線通信部１１が送信あるいは受信する音信号のデータ量に基づいて、所定時間あたりの通話量を検出する。例えば、通話量検出部１２４ａｂは、所定時間あたりに、無線通信部１１が送信あるいは受信する音信号のデータ量を、所定時間あたりの通話量として採用してよい。あるいは、通話量検出部１２４ａｂは、例えば、周知の音声認識技術によってユーザの音声を認識する音声認識部を備えており、当該音声認識部によって認識された音声の量に基づいて、所定時間あたりの通話量を検出してよい。通話量検出部１２４ａｂがユーザ毎の音声を認識する音声認識部を備える場合には、通話量検出部１２４ａｂは、例えば、ユーザ毎の音声を認識することによって、ユーザ毎の所定時間あたりの通話量を検出してもよい。
【０１０６】
静止画像記憶制御部１２４ａは、通話量検出部１２４ａｂが検出する所定時間あたりの通話量が所定量以上になったときに、表示部１２が表示する画面を静止画像として記憶部１０３に保存することができる。よって、ユーザは、所定時間あたりの通話量が所定量以上になったとき、例えば、ユーザ間の会話が盛り上がった場合などに、表示部１２が表示していた画面を後から確認することができる。
【０１０７】
通話音量検出部１２４ａｃは、電子機器１がビデオ通話モードで動作する場合に、通話音量を検出することができる。通話音量検出部１２４ａｃは、例えば、電子機器１が有するスピーカ１８からの出力音量あるいは、マイク１４への入力音量を検出することによって、通話音量を検出する。
【０１０８】
静止画像記憶制御部１２４ａは、当該出力音量あるいは当該入力音量が所定値以上になったときに、表示部１２が表示する共有画面を静止画像として記憶部１０３に保存することができる。よって、ユーザは、通話音量が大きいとき、例えば、ユーザ間の会話が盛り上がった場合などに、表示部１２が表示していた共有画面を後から確認することができる。
【０１０９】
上記の例では、電子機器１はビデオ通話機能を有しているが、ビデオ通話ではなく、音声のみの通話機能を有していてもよい。そして、電子機器１は、画像共有アプリが実行されると、ビデオ通話モードではなく、音声通話のみを行う音声通話モードで動作してもよい。この場合、通話量検出部１２４ａｂは、電子機器１が音声のみの通話を行っているときに通話量を検出してもよい。また、通話音量検出部１２４ａｃは、電子機器１が音声のみの通話を行っているときに通話音量を検出してもよい。
【０１１０】
動画像記憶制御部１２４ｂは、画像共有アプリが実行されてから終了されるまでの間、表示部１２が表示する一連の画面を動画像として記憶部１０３に保存してよい。言い換えれば、動画像記憶制御部１２４ｂは、電子機器１がビデオ通話モードで動作する間に表示部１２が表示する一連の画面を動画像として記憶部１０３に保存してよい。例えば、動画像記憶制御部１２４ｂが、記憶部１０３が備える不揮発性メモリに動画像を記憶することによって、当該動画像が記憶部１０３に保存される。動画像記憶制御部１２４ｂは、画像共有アプリが実行されてから終了されるまでの間（電子機器１がビデオ通話モードで動作している間）のすべての期間に表示部１２に表示される一連の画像を記憶部１０３に保存してよい。また、動画像記憶制御部１２４ｂは、画像共有アプリが実行されてから終了されるまでの間の一部の期間に表示部１２に表示される一連の画像を記憶部１０３に記憶してよい。例えば、動画像記憶制御部１２４ｂは、電子機器１がビデオ通話モードで動作している期間のうち、表示部１２がプレビュー停止モード及びプレビューモードで動作している期間に表示部１２で表示される一連の画像を記憶部１０３に保存してよい。また、動画像記憶制御部１２４ｂは、ユーザが指定した期間に表示部１２が表示する一連の画像を動画像として記憶部１０３に保存してもよい。
【０１１１】
動画像記憶制御部１２４ｂは、画像共有アプリの実行中に、表示部１２が表示していた画面を動画像として記憶部１０３に保存することから、ユーザは、動画像記憶制御部１２４ｂが記憶部１０３に保存する動画像に含まれる一連の画像を後から確認することができる。
【０１１２】
タイミング特定部１２４ｂａは、動画像記憶制御部１２４ｂが保存する動画像を構成する一連の画像が画像共有アプリの実行中に表示される期間において、静止画像記憶制御部１２４ａが静止画像を記憶部１０３に保存するタイミングを特定する。言い換えれば、タイミング特定部１２４ｂａは、動画像記憶制御部１２４ｂが保存する動画像を構成する一連の画像についてのビデオ通話モードでの表示期間において、静止画像記憶制御部１２４ａが静止画像を記憶部１０３に保存するタイミングを特定する。そして、タイミング特定部１２４ｂａは、特定したタイミングを記憶部１０３に保存する。具体的には、タイミング特定部１２４ｂａは、例えば、計時部１９が取得する時刻情報に基づいて、静止画像記憶制御部１２４ａが静止画像を記憶部１０３に保存したタイミングを取得する。そして、タイミング特定部１２４ｂａは、取得したタイミングと、当該タイミングで保存された静止画像とを関連付けた情報を記憶部１０３に記憶する。あるいは、タイミング特定部１２４ｂａは、取得したタイミングに基づいて動画像記憶制御部１２４ｂが記憶部１０３に保存する動画像にチャプター情報などのタイミング情報を付加する。
【０１１３】
図１８は、表示部１２が、動画像記憶制御部１２４ｂが記憶部１０３に保存した動画像を表示（再生）するときの再生画面５０の一例を概略的に示す図である。図１８に示されるように、再生画面５０には、動画像記憶制御部１２４ｂが記憶部１０３に保存した動画像５１と、当該動画像５１の再生を制御するためのボタン５２と、動画像５１での再生している箇所を示すシークバー５３とが表示されている。シークバー５３の長さは、動画像５１を構成する一連の画像が画像共有アプリの実行中に表示部１２に表示されていた期間を示す。図１８の例示では、ボタン５２は、動画像５１の再生開始あるいは一時停止を制御するためのボタン５２ａと、動画像５１の再生を停止するための停止ボタン５２ｂとを備える。また、シークバー５３には、動画像５１の再生箇所を変更するためのスライダ５３ａと、静止画像記憶制御部１２４ａが静止画像を記憶部１０３に保存したタイミングを示す図形５４ａ〜５４ｃとが表示されている。例えば、タッチパネル１３が図形５４ａ〜５４ｃのそれぞれへの操作を検出したときに、動画像５１における再生箇所が、当該図形５４ａ〜５４ｃがそれぞれ示すタイミングに変更される。
【０１１４】
なお、タッチパネル１３が図形５４ａ〜５４ｃのそれぞれへの操作を検出したときに、当該図形５４ａ〜５４ｃがそれぞれ示すタイミングで記憶部１０３に保存された静止画像が再生画面５０に表示されてもよい。図１９は、図形５４ｂが示すタイミングで保存された静止画像が表示される再生画面５０の一例を概略的に示す図である。図１９の例示では、タッチパネル１３が図形５４ｂへの操作を検出したときに、当該図形５４ｂが示すタイミングで静止画像記憶制御部１２４ａが記憶部１０３に保存した静止画像５５が当該図形５４ｂの下に表示される。この場合、タッチパネル１３が静止画像５５への選択操作を検出したときには、表示部１２は、当該静止画像５５を拡大して表示してもよい。
【０１１５】
このように、タイミング特定部１２４ｂａは、動画像記憶制御部１２４ｂが記憶部１０３に保存する動画像を構成する一連の画像が画像共有アプリの実行中に表示部１２に表示される期間における、静止画像記憶制御部１２４ａが静止画像を記憶部１０３に保存するタイミングを保存する。つまり、タイミング特定部１２４ｂａは、動画像記憶制御部１２４ｂが記憶部１０３に保存する動画像を構成する一連の画像についてのビデオ通話モードでの表示期間における、静止画像記憶制御部１２４ａが静止画像を記憶部１０３に保存するタイミングを保存する。そのため、ユーザは静止画像記憶制御部１２４ａが記憶部１０３に保存した静止画像が、当該動画像を構成する一連の画像が画像共有アプリの実行中に表示部１２に表示される期間においてどのタイミングで保存されたのかを確認することができる。
【０１１６】
上記の例では、本開示の技術を携帯電話機に適用する場合を例にあげて説明したが、本開示の技術は、表示部を備える他の電子機器にも適用することができる。例えば、本開示の技術は、パーソナルコンピュータ、タブレット端末あるいは腕などに装着するウェアラブルタイプの電子機器等にも適用することができる。
【０１１７】
以上のように、電子機器は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１１８】
１  電子機器
１２  表示部
１７  撮像部
２１  画像
３０ａ  共有画面
３０ｂ  共有画面
３１ａ  第１プレビュー画像
３１ｂ  第２プレビュー画像
３２  終了ボタン
３３  モード変更ボタン
３４  書き込みボタン
３５  静止画保存ボタン
３６  対象物体
４３  入力情報
【図１】
0006301990.tif 000002
【図２】
0006301990.tif 000003
【図３】
0006301990.tif 000004
【図４】
0006301990.tif 000005
【図５】
0006301990.tif 000006
【図６】
0006301990.tif 000007
【図７】
0006301990.tif 000008
【図８】
0006301990.tif 000009
【図９】
0006301990.tif 000010
【図１０】
0006301990.tif 000011
【図１１】
0006301990.tif 000012
【図１２】
0006301990.tif 000013
【図１３】
0006301990.tif 000014
【図１４】
0006301990.tif 000015
【図１５】
0006301990.tif 000016
【図１６】
0006301990.tif 000017
【図１７】
0006301990.tif 000018
【図１８】
0006301990.tif 000019
【図１９】
0006301990.tif 000020